(57)【要約】【課題】  内容物の取出し作業性が良好で、かつ内外の容器の大きさにかかわらず内側容器を簡便にセットできること。【解決手段】  箱型の容器本体１１の内部に詰替え袋２０を収納可能にする箱型容器１０であって、容器本体１１の開口部１１Ｆの内側に詰替え袋２０の開口縁部２３を係止して保持する係止部１３を設けたもの。【選択図】  図１
2010143635.tif 000002
【特許請求の範囲】
【請求項１】
箱型の容器本体の内部に詰替え袋を収納可能にする箱型容器であって、
容器本体の開口部の内側に詰替え袋の開口縁部を係止して保持する係止部を設けた箱型容器。
【請求項２】
箱型の容器本体の背面板に蓋をヒンジ結合してなり、該容器本体の内部に詰替え袋を収納可能にする箱型容器であって、
容器本体の開口部の内側に詰替え袋の開口縁部を係止して保持する係止部を設けた箱型容器。
【請求項３】
前記容器本体の開口部の内側に該容器本体の折り返し片を設け、
前記係止部が該折り返し片の一部を切込み形成した下向き舌片状係止部からなる請求項１又は２に記載の箱型容器。
【請求項４】
前記容器本体の両側に設けた折り返し片のそれぞれに前記係止部を設けた請求項３に記載の箱型容器。
【発明の詳細な説明】
【技術分野】
【０００１】
本発明は、粉末洗剤用容器等として用いて好適な箱型容器に関する。
【背景技術】
【０００２】
洗剤等の顆粒もしくは粉末状の粉末物質に用いる箱型容器として、固形物質を直接収容し、使用後に廃棄することが一般的である。一方、省資源化を考慮する場合に、液体洗剤等のように内容物を詰め替えことも考えられるが、粉末物質は飛散し易いため内容物のみの詰替えは作業しにくく、また詰替え袋をそのまま収容して使用する場合には内容物の取り出し時に詰替え袋の開口部を抑える必要があり作業しにくい。そこで、特許文献１に記載の如く、箱型状の外側容器の内部に箱型詰替え容器を収納し、開封された詰替え容器から洗剤をスプーン等ですくい出して使用するものがある。使用済の箱型詰替え容器は、外側容器から取出して折り畳むことにより、廃棄性を向上し、省資源を有効に図ることができる。
【特許文献１】実用新案登録  第2539754号
【発明の開示】
【発明が解決しようとする課題】
【０００３】
特許文献１に記載の箱型容器では、外側容器の内部に当該箱型詰替え容器（内側容器）を収容した後に開封するために、内側容器に特別な開封機構を設ける必要がある。さらに、当該内側容器は、外側容器内に収納後に内側容器を開封するため、外側容器の大きさや形状に見合うように内側容器形状や開封機構位置を調整する必要があり、外側容器との組み合わせが限られ、汎用性に乏しい。
【０００４】
本発明の課題は、内容物の取出し作業性が良好で、かつ内外の容器の大きさにかかわらず内側容器を簡便にセットできることを目的とする。
【課題を解決するための手段】
【０００５】
請求項１の発明は、箱型の容器本体の内部に詰替え袋を収納可能にする箱型容器であって、容器本体の開口部の内側に詰替え袋の開口縁部を係止して保持する係止部を設けたものである。
【発明を実施するための最良の形態】
【０００６】
箱型容器１０は、図１に示す如く、容器本体１１と蓋１２とからなる。
容器本体１１は、紙だけ、又は紙を主材料としてプラスチックフィルムをラミネートされた素材、又はプラスチックフィルムだけからなる素材を折り曲げて組立てたものであり、正面板１１Ａ、背面板１１Ｂ、両側板１１Ｃ、１１Ｃ、底板１１Ｄを有する。容器本体１１は、正面板１１Ａ、背面板１１Ｂ、両側板１１Ｃ、１１Ｃの各上縁部に折返し片１１Ｅを連設し、これらの折返し片１１Ｅを正面板１１Ａ、背面板１１Ｂ、両側板１１Ｃ、１１Ｃの各上縁部によって区画形成される開口部１１Ｆの内側に折返して接着してある。
【０００７】
蓋１２は、紙だけ、又は紙を主材料としてプラスチックフィルムをラミネートされた素材、又はプラスチックフィルムだけからなる素材を折り曲げて組立てたものであり、前板１２Ａ、後板１２Ｂ、両側板１２Ｃ、１２Ｃ、天板１２Ｄを有する。蓋１２は、前板１２Ａにつまみ部１２Ｅを備え、後板１２Ｂにヒンジ結合部１２Ｆを備えるとともに、両側板１２Ｃ、１２Ｃの各下縁部に内折りフラップ１２Ｇを備え、この内折りフラップ１２Ｇを内折り接着してある。蓋１２は、両内折りフラップ１２Ｇの前板１２Ａ寄り端部、又は前板１２Ａの両側下縁部に糊付フラップ１２Ｈを備え、この糊付フラップ１２Ｈを前板１２Ａの内側面に貼着してある。
【０００８】
箱型容器１０は、容器本体１１の背面板１１Ｂに蓋１２のヒンジ結合部１２Ｆをヒンジ結合する。容器本体１１の正面板１１Ａ、背面板１１Ｂ、両側板１１Ｃ、１１Ｃの各上縁部の外周に蓋１２の前板１２Ａ、後板１２Ｂ、両側板１２Ｃ、１２Ｃを着脱し、容器本体１１の開口部１１Ｆを天板１２Ｄにより開閉する。
【０００９】
箱型容器１０は、容器本体１１の内部に詰替え袋２０を収納可能にする。詰替え袋２０は、紙だけ、又は紙を主材料としてプラスチックフィルムをラミネートされた素材、又はプラスチックフィルムだけからなる素材からなる。詰替え袋２０は内容物の処方により素材の層構成を適宜選択する等により、バリア性を確保できる。詰替え袋２０として、例えば、両脇に折り込みを入れ、底部分を角底とし、天部分をシール部２２としたガセット袋２１（図２）を採用できる。詰替え袋２０は、内容物として、例えば、詰替え用粉体洗剤が収容される。
【００１０】
箱型容器１０では、図２に示す如く、容器本体１１の内部に詰替え袋２０を収納し、シール部２２を開封された詰替え袋２０から洗剤をスプーン等ですくい出して使用する。詰替え袋２０のシール部２２の開封は、詰替え袋２０を容器本体１１の内部に収納する前又は後のいずれでも良い。尚、使用済の詰替え袋２０は容器本体１１から取出して小さく折り畳む等により廃棄される。箱型容器１０によれば、詰替え用粉体洗剤を容器本体１１に直接収容するものに比して、洗剤のこぼれ落ち等がないし、詰替え袋２０にバリア性を付与することにより、容器本体１１のバリア性を下げることができる。
【００１１】
しかるに、箱型容器１０は、詰替え袋２０からの内容物の取出し作業性を向上するため、図１〜図３に示す如く、容器本体１１の開口部１１Ｆの内側に、詰替え袋２０の開封後の開口縁部２３を係止して保持する係止部１３を設けた。
【００１２】
具体的には、箱型容器１０は、容器本体１１の折返し片の一部を切込み形成した下向き舌片状係止部１３を設けた。本実施例では、容器本体１１の両側の側板１１Ｃ、１１Ｃの各上縁部に連設した両側の折返し片１１Ｅ、１１Ｅに上述の舌片状係止部１３を設けた。各舌片状係止部１３は、各折返し片１１Ｅの下縁の概ね中央の左右の２点から当該折返し片１１Ｅの上下中間部まで切込まれた左右の２本の平行をなすストレート状切込み線１４、１４（折返し片１１Ｅが連設された側板１１Ｃの上縁部に直交する状態をストレート状と称する、以下同じ）により挟まれる四角舌片状部分からなる。各折返し片１１Ｅは、上述の舌片状係止部１３を除く部分を各側板１１Ｃの裏面に接着され、舌片状係止部１３の部分は各側板１１Ｃに接着されない。
【００１３】
これにより、各舌片状係止部１３は、図３に示す如く、各折返し片１１Ｅの２本の切込み線１４、１４の上端をつなぐ根元部１５（図３（Ａ）の２点斜線）を基点として引き起こしでき、この引き起こしにより側板１１Ｃの裏面との間に形成される間隙に詰替え袋２０の開口縁部２３を差し込み、この引き起こしに対する復元習性力によりその開口縁部２３を押さえて、箱型容器１０の側板１１Ｃの裏面と折返し片１１Ｅに設けた舌片状係止部１３との間に詰替え袋２０の開口縁部２３を挟むことによって該詰替え袋２０の開口状態を保持する。
【００１４】
本実施例によれば以下の作用効果を奏する。
(a)詰替え袋２０の開口縁部２３が容器本体１１の開口部１１Ｆの内側に設けてある係止部１３に係止されて保持される。従って、容器本体１１の内部で開封された詰替え袋２０から洗剤を繰り返してすくい出す使用時に、詰替え袋２０内の洗剤の残量が少なくなっても、詰替え袋２０の開口がつぼまることが防止され、洗剤の取出し作業性が向上する。
【００１５】
(b)箱型容器１０（外側容器）の内部に詰替え袋２０を収容するものであり、詰替え袋２０は箱型容器１０の内部へ簡便にセットできるし、箱型容器１０への収容後に簡易に開封できる。詰替え袋２０の形状や開封機構位置を箱型容器１０の大きさや形状に見合うように調整する等の必要がなく、詰替え袋２０は箱型容器１０との組み合せを限定されず、汎用性も向上する。
【００１６】
(c)容器本体１１の開口部１１Ｆの折返し片１１Ｅの一部を舌片状に切込むことにより、上述(a)の係止部１３を形成する。係止部１３を形成するのに、容器本体１１と別個の部材を用いる必要がなく、構成簡素になる。詰替え袋２０の開口縁部２３を下向き舌片状係止部１３の裏側に下方から差し込むだけにより、該係止部１３に確実に係止でき、詰替え袋２０の係止作業性も良い。
【００１７】
(d)容器本体１１の両側に設けた折返し片１１Ｅ、１１Ｅのそれぞれに上述(c)の係止部１３、１３を設けることにより、詰替え袋２０の相対する両側の開口縁部２３、２３をそれらの係止部１３、１３に係止して保持し、詰替え袋２０の開口のつぼまりを確実に防止できる。
【００１８】
図４に示した舌片状係止部１３の変形例は、折返し片１１Ｅの下縁の概ね中央に左右線対称をなすように切込まれたＵ字状切込線３１により区画されるＵ字舌片状部分からなる。各折返し片１１Ｅは、上述の舌片状係止部１３を除く部分を各側板１１Ｃの裏面に接着され、舌片状係止部１３の部分は各側板１１Ｃに接着されない。
【００１９】
図５に示した舌片状係止部１３の変形例は、折返し片１１Ｅの下縁の概ね中央に左右線対称をなすように切込まれたＶ字状切込線４１により区画されるＶ字舌片状部分からなる。各折返し片１１Ｅは、上述の舌片状係止部１３を除く部分を各側板１１Ｃの裏面に接着され、舌片状係止部１３の部分は各側板１１Ｃに接着されない。
【００２０】
図６に示した舌片状係止部１３の変形例は、折返し片１１Ｅの下縁の概ね中央の１点から左右線対称をなすように切込まれた、左側の斜め状切込線５１（折返し片１１Ｅが連設された側板１１Ｃの上縁部に斜交する状態を斜め状と称する、以下同じ）及び斜め状切込線５１の上端に連続するストレート状切込線５２と、右側の斜め状切込線５１及び斜め状切込線５１の上端に連続するストレート状切込線５２により挟まれる三角舌片状部分からなる。各折返し片１１Ｅは、上述の舌片状係止部１３を除く部分を各側板１１Ｃの裏面に接着され、舌片状係止部１３の部分は各側板１１Ｃに接着されない。
【００２１】
図７に示した舌片状係止部１３の変形例は、折返し片１１Ｅの下縁の左右一方側に偏った１点から左右非対称をなすように切込まれた、左側のストレート状切込線６１と、右側の斜め状切込線６２により挟まれる三角舌片状部分からなる。各折返し片１１Ｅは、上述の舌片状係止部１３を除く部分を各側板１１Ｃの裏面に接着され、舌片状係止部１３の部分は各側板１１Ｃに接着されない。
【００２２】
本実施例では、容器本体１１の正面板１１Ａ、背面板１１Ｂの各上縁部に連設した折返し片１１Ｅ、１１Ｅに舌片状係止部１３を設け、又は容器本体１１の正面板１１Ａ、背面板１１Ｂ、両側板１１Ｃ、１１Ｃの各上縁部に連設した全周に渡る折返し片１１Ｅに舌片状係止部１３を設け、又は容器本体１１の正面板１１Ａ、背面板１１Ｂ、両側板１１Ｃ、１１Ｃのいずれかの上縁部に連設した折返し片１１Ｅに舌片状係止部１３を設けるものでも良い。
【図面の簡単な説明】
【００２３】
【図１】図１は箱型容器を示し、（Ａ）は全体斜視図、（Ｂ）は平面図である。
【図２】図２は箱型容器への詰替え袋の収納過程を示す斜視図である。
【図３】図３は箱型容器の係止部による詰替え袋の係止構造を示し、（Ａ）は斜視図、（Ｂ）は（Ａ）のＢ−Ｂ線に沿う断面図である。
【図４】図４は係止部の変形例を示す模式図である。
【図５】図５は係止部の変形例を示す模式図である。
【図６】図６は係止部の変形例を示す模式図である。
【図７】図７は係止部の変形例を示す模式図である。
【符号の説明】
【００２４】
１０  箱型容器
１１  容器本体
１１Ｅ  折返し片
１１Ｆ  開口部
１２  蓋
１２Ｆ  ヒンジ結合部
１３  係止部
１４、３１、４１、５１、５２、６１、６２  切込線
２０  詰替え袋
２３  開口縁部
【図１】
2010143635.tif 000003
【図２】
2010143635.tif 000004
【図３】
2010143635.tif 000005
【図４】
2010143635.tif 000006
【図５】
2010143635.tif 000007
【図６】
2010143635.tif 000008
【図７】
2010143635.tif 000009